(57)【要約】【課題】  イカの脱落による釣り逃がしを阻止して、釣果の向上を確実に図り得る秀れたイカ釣り用ルアーを提供する。【解決手段】  擬餌胴体１の先端側に、イカａを引っ掛けるイカ釣り針体３ａを有する釣針部３を設けたイカ釣り用ルアーであって、前記擬餌胴体１の先端側に設けた第一の釣針部３の先端に、連設部材４を介して第二の釣針部３を連設し、この連設部材４は屈曲自在に構成すると共に、前記第一の釣針部３からイカａが脱落した際にこのイカａに直ちに第二の釣針部３が当接し引っ掛かる距離に両釣針部３を離間保持せしめ、且つ、前記第一の釣針部３をイカａに引っ掛ける際にはこのイカａに第二の釣針部３が引っ掛からない距離に両釣針部３を離間保持せしめる長さ形状に前記連設部材４を設定して構成したイカ釣り用ルアー。【選択図】      図１
2006296239.tif 000002
【特許請求の範囲】
【請求項１】
擬餌胴体の先端側に、イカを引っ掛けるイカ釣り針体を有する釣針部を設けたイカ釣り用ルアーであって、前記擬餌胴体の先端側に設けた第一の釣針部の先端に、連設部材を介して第二の釣針部を連設し、この連設部材は屈曲自在に構成すると共に、前記第一の釣針部からイカが脱落した際にこのイカに直ちに第二の釣針部が当接し引っ掛かる距離に両釣針部を離間保持せしめ、且つ、前記第一の釣針部をイカに引っ掛ける際にはこのイカに第二の釣針部が引っ掛からない距離に両釣針部を離間保持せしめる長さ形状に前記連設部材を設定して構成したことを特徴とするイカ釣り用ルアー。
【請求項２】
前記第一の釣針部と前記連設部材とを着脱自在とする着脱機構を備えたことを特徴とする請求項１記載のイカ釣り用ルアー。
【請求項３】
擬餌胴体の先端側に、イカを引っ掛けるイカ釣り針体を有する釣針部を設けたイカ釣り用ルアーの補助具であって、前記釣針部の先端に予め設けられた環状の連結部に着脱自在に連結する連設部材を有し、この連設部材は、屈曲自在に構成すると共に、イカ釣り針を有する第二の釣針部を先端側に設け、この連設部材を前記釣針部に連結した際には、この釣針部の先端から離間した位置に前記第二の釣針部が左右前後に揺動自在に連設されるように構成したイカ釣り用ルアーの補助具。
【発明の詳細な説明】
【技術分野】
【０００１】
本発明は、擬餌胴体の先端側に、イカを引っ掛けるイカ釣り針体を有する釣針部を設けたイカ釣り用ルアー及びイカ釣り用ルアーの補助具に関するものである。
【背景技術】
【０００２】
従来のイカ釣り用ルアーは、例えば図７に図示したように、擬餌胴体１を有し、この擬餌胴体１の基端側には釣り糸を連結する釣り糸連結部２を設け、この擬餌胴体１の先端側には傘状のイカ釣り針体３ａを有する釣針部３を設けた構成である。
【０００３】
この一般的なイカ釣り用ルアーは、基端側を釣り糸に連結した擬餌胴体を海中に投下し、釣り糸の操作（所謂、シャクリ操作）によってこの擬餌胴体にイカを誘い、この擬餌胴体にイカが近接した、若しくは、抱きついたところで、前記釣り糸を勢い良く引いて釣針部のイカ釣り針体をイカに刺して引っ掛け（ヒットさせ）、このヒットしたイカａを釣り上げることで釣獲するものである。
【発明の開示】
【発明が解決しようとする課題】
【０００４】
しかしながら、従来のイカ釣り用ルアーは、一旦釣針部に引っ掛けた（ヒットした）イカを、船上や陸上に釣り上げる途中でこの釣針部から脱落させ取り逃がしてしまう、所謂、バラシが頻繁に生じてしまい、よって、この釣り上げ途中でのイカの脱落（バラシ）が、釣果を損ねる大きな原因となっている。
【０００５】
この釣針部からのイカの脱落を阻止するために、例えば、この釣針部に設ける傘状のイカ釣り針体の個数を２個から３個，４個と増やしたとしても、結局イカの脱落を阻止する効果は殆ど得られず、しかも、イカ釣り針体の個数を増やしたことで海藻などの不要物が無駄に絡まり易くなり、更に、イカ釣り針体の個数を増やした分だけ、これらイカ釣り針をイカに刺す際に力が無駄に分散されてしまい各イカ釣り針体の刺さりが甘くなってしまうなどの不都合が生じてしまい、よって、単に釣針部に設ける傘状のイカ釣り針体の個数を増やすだけではイカの脱落を良好に解決できず、この点においても厄介な問題である。
【０００６】
本発明は、上記問題点を解決するもので、擬餌胴体の先端に釣針部（第一の釣針部）を設け、更にこの第一の釣針部の先端側に第二の釣針部を連設して、第一の釣針部から脱落したイカを第二の釣針部に引っ掛けるように構成することで、たとえ第一の釣針部からイカが脱落しても第二の釣針部で確実にイカを引っ掛けて取り逃がしを阻止でき、即ち、一度ヒットさせたイカをバラシて取り逃がしてしまうことを阻止でき、更に、海藻などの不要物が無駄に絡まり易くなったり、イカを引っ掛ける際に傘状のイカ釣り針の刺さりが甘くなるといった不都合が生ずる心配も無く、イカ釣りの釣果向上を良好に図り得る秀れたイカ釣り用ルアー及びイカ釣り用ルアーの補助具を提供するものである。
【課題を解決するための手段】
【０００７】
添付図面を参照して本発明の要旨を説明する。
【０００８】
擬餌胴体１の先端側に、イカａを引っ掛けるイカ釣り針体３ａを有する釣針部３を設けたイカ釣り用ルアーであって、前記擬餌胴体１の先端側に設けた第一の釣針部３の先端に、連設部材４を介して第二の釣針部３を連設し、この連設部材４は屈曲自在に構成すると共に、前記第一の釣針部３からイカａが脱落した際にこのイカａに直ちに第二の釣針部３が当接し引っ掛かる距離に両釣針部３を離間保持せしめ、且つ、前記第一の釣針部３をイカａに引っ掛ける際にはこのイカａに第二の釣針部３が引っ掛からない距離に両釣針部３を離間保持せしめる長さ形状に前記連設部材４を設定して構成したことを特徴とするイカ釣り用ルアーに係るものである。
【０００９】
また、前記第一の釣針部３と前記連設部材４とを着脱自在とする着脱機構５を備えたことを特徴とする請求項１記載のイカ釣り用ルアーに係るものである。
【００１０】
また、擬餌胴体１の先端側に、イカａを引っ掛けるイカ釣り針体３ａを有する釣針部３を設けたイカ釣り用ルアーの補助具であって、前記釣針部３の先端に予め設けられた環状の連結部７に着脱自在に連結する連設部材４を有し、この連設部材４は、屈曲自在に構成すると共に、イカ釣り針３ａを有する第二の釣針部３を先端側に設け、この連設部材４を前記釣針部３に連結した際には、この釣針部３の先端から離間した位置に前記第二の釣針部３が左右前後に揺動自在に連設されるように構成したイカ釣り用ルアーの補助具に係るものである。
【発明の効果】
【００１１】
本発明は上述のように、第二の釣針部が屈曲自在な連設部材を介して第一の釣針部の先端側に左右前後に揺動自在に連設されている構成としたから、第一の釣針部にヒットしたイカが釣り上げ途中でこの第一の釣針部から脱落したとしても、そのまま逃がさずに第二の釣針部で引っ掛け、よって、イカの脱落による釣り逃がしを確実に阻止でき、また、擬餌胴体に誘われてきたイカをヒットした直後に逃がしてしまうことも阻止でき、よって、ヒット率の向上を図ることもできるなど、イカ釣り時の釣果向上が確実に図られる極めて実用性に秀れたイカ釣り用ルアーとなる。
【００１２】
しかも、本発明は、第二の釣針部が前記第一の釣針部から遠すぎず、且つ、近すぎない距離に離間保持されるように前記連設部材の長さ形状を設定した構成としたから、例えば、第二の釣針部にたった一体のイカ釣り針体しか有していなくとも確実にイカの脱落による釣り逃がしを阻止可能な構成を実現でき、よって、無駄に海藻などの不要物が絡まり易くなったり、イカ釣り針体の刺さりが甘くなるなどの不都合が生ずる心配もなく、良好にイカ釣り時の釣果向上を図り得るなど、この点においても極めて実用性に秀れたイカ釣り用ルアーとなる。
【００１３】
よって、本発明は、単に第一の釣針部の先端にイカ釣り針体を増設しただけでは達成されない極めて良好な、且つ、確実な釣果向上を達成し得る画期的で極めて実用性に秀れたイカ釣り用ルアーとなる。
【発明を実施するための最良の形態】
【００１４】
好適と考える本発明の実施形態を、図面に基づいて本発明の作用を示して簡単に説明する。
【００１５】
擬餌胴体１の先端側に設けた第一の釣針部３のイカ釣り針体３ａをイカａに刺し、この第一の釣針部３にイカａを引っ掛ける（ヒットさせる）。
【００１６】
ここで、例えば、このイカａが暴れたり、イカａ自身の自重などによって、前記イカ釣り針体３ａがイカａから抜けてしまい、折角ヒットさせたイカａが第一の釣針部３から脱落してしまう場合がある。
【００１７】
この際、第一の釣針部３の先端に連設部材４を介して連設した第二の釣針部３が、直ちに上記脱落したイカａに当接し、よって、第一の釣針部３から脱落したイカａはこの第二の釣針部３に引っ掛けられることとなる。
【００１８】
従って、第一の釣針部３にヒットさせたイカａを、船上や陸上に釣り上げる途中でバラシて釣り逃がしてしまうことを前記第二の釣針部３によって阻止することができ、一度ヒットしたイカを逃がさず確実に釣り上げ、釣獲することが可能となる。
【００１９】
また、前記連設部材４を屈曲自在に構成しているので、前記第二の釣針部３が、第一の釣針部３に対して固定状態ではなく、左右前後に揺動自在に連設されることとなり、よって、第一の釣針部３からイカａが脱落した際に、この脱落するイカａを的確に受けて引っ掛け可能な位置に前記第二の釣針部３が自由に揺動移動することも可能で、イカａを釣り上げ途中で脱落させて釣り逃がすことを一層確実に阻止できることとなる上に、第一の釣針部３にイカａをヒットさせた直後にこのイカａが第一の釣針部３から外れ逃げ出した場合にも、この逃げ出したイカａに前記第一の釣針部３とは異なる方向から第二の釣針部３が当接してこのイカａを逃がすことなく引っ掛けることも可能で、よって、釣り損じを阻止しヒット率を向上も図られることとなる。
【００２０】
また、前記第一の釣針部３をイカａに引っ掛ける際にはこのイカａに第二の釣針部３が引っ掛からない距離に両釣針部３を離間保持せしめる長さ形状に前記連設部材４を設定している為、この第二の釣針部３による上記秀れた機能を確実に発揮させられることとなる。即ち、第一の釣針部３と第二の釣針部３とが近接し過ぎる位置関係にあった場合には、第二の釣針部３の上記秀れた機能は損なわれ、単に、第一の釣針部３に設けるイカ釣り針体３ａの個数を増やしたに過ぎない作用効果しか発揮されなくなってしまい、よって、上述した従来例のように、イカａの脱落を阻止する作用効果が殆ど発揮されない上に、無駄に海藻などの不要物が絡まり易くなったり、イカａへのイカ釣針体３ａの刺さりが甘くなるなどの不都合が生じてしまうこととなるが、本発明においては、そのような不都合が生ずる心配も無く良好にイカａの脱落による釣り逃がしが第二の釣針部３によって阻止されることとなる。
【００２１】
従って、本発明は、第二の釣針部３が屈曲自在な連設部材４を介して第一の釣針部３の先端側に左右前後に揺動自在に連設されている為に、第一の釣針部３にヒットしたイカａが釣り上げ途中でこの第一の釣針部３から脱落したとしても、そのまま逃がさずに第二の釣針部３で引っ掛け、よって、イカａの脱落による釣り逃がしを確実に阻止でき、また、擬餌胴体１に誘われてきたイカａをヒットした直後に逃がしてしまうことも阻止でき、よって、ヒット率の向上をも図り得るなど、イカ釣り時の釣果向上が確実に図られることとなる。
【００２２】
しかも、本発明は、第二の釣針部３が前記第一の釣針部３から遠すぎず、且つ、近すぎない距離に離間保持されるように前記連設部材４の長さ形状を設定している為に、例えば、第二の釣針部３にたった一体のイカ釣り針体３しか有していなくとも確実にイカａの脱落による釣り逃がしを阻止可能な構成を実現でき、よって、無駄に海藻などの不要物が絡まり易くなったり、イカ釣り針体３ａの刺さりが甘くなるなどの不都合が生ずる心配もなく、良好にイカ釣り時の釣果向上を図り獲ることとなる。
【００２３】
よって、本発明は、単に第一の釣針部３の先端にイカ釣り針体３ａを増設しただけでは達成されない極めて良好な、且つ、確実な釣果向上を達成し得る画期的で極めて実用性に秀れたイカ釣り用ルアーが得られることとなる。
【００２４】
また、例えば、第一の釣針部３と前記連設部材４とを着脱自在とする着脱機構５を備えた構成とした場合には、必要に応じて第二の釣針部３を第一の釣針部３に連設したり、外したりといった選択使用が可能となり、また、未使用時には第二の釣針部３を脱着してコンパクトに収納したりできるなどの秀れた実用性を有することとなる。
【００２５】
また、前記連設部材４を、擬餌胴体１の先端側に設けられた第一の釣針部３の先端に予め設けられた連結部５に着脱自在に構成すれば、この連設部材４及び第二の釣針部３自体が、既存のイカ釣り用ルアーに簡単に着脱でき釣果向上を良好に図り得るなどの秀れた商品価値を有する画期的なイカ釣り用ルアーの補助具となる。
【実施例１】
【００２６】
本発明の具体的な実施例１について図面に基づいて説明する。
【００２７】
本実施例は、図１に図示したように、擬餌胴体１の先端側に、イカａを引っ掛けるイカ釣り針体３ａを有する釣針部３を設けたイカ釣り用ルアーであって、前記擬餌胴体１の先端側に設けた第一の釣針部３の先端に、連設部材４を介して第二の釣針部３を連設し、この連設部材４は屈曲自在に構成すると共に、前記第一の釣針部３からイカａが脱落した際にこのイカａに直ちに第二の釣針部３が当接し引っ掛かる距離に両釣針部３を離間保持せしめ、且つ、前記第一の釣針部３をイカａに引っ掛ける際にはこのイカａに第二の釣針部３が引っ掛からない距離に両釣針部３を離間保持せしめる長さ形状に前記連設部材４を設定して構成したものである。
【００２８】
擬餌胴体１は、周面に布部材１ｂが被覆固定されており、基端側には、釣り糸６を結着する為の釣り糸連結部２を備え、先端側には、前記釣針部３を設けた構成である。
【００２９】
具体的には、前記擬餌胴体１は、基端側を雫状若しくは涙状に形成し、先端側は細長い円筒状に形成したプラスチック性の胴体本体１ａの、雫状若しくは涙状の部位の周面に布部材１ｂを被覆固定すると共に、この胴体本体１ａの基端に前記釣り糸連結部２を螺着固定し、この胴体本体１ａの先端の円筒状の部位に第一の釣針部３を設けた構成である。
【００３０】
この第一の釣針部３は、図２に図示したように、擬餌胴体１の先端（胴体本体１ａの先端の円筒状の部位）に、屈曲生針８を周設固定して成る一般的な傘状のイカ釣り針体３ａを二体、この擬餌胴体１の長手方向に沿って縦設した構成である。
【００３１】
尚、この擬餌胴体１及び第一の釣針部３の構成は、本実施例に限られるものでは無く、例えば、一般的に市販されているイカ釣り用ルアーと同様に、擬餌胴体１をエビや小魚を模した形状（図４参照）としても良く、また、例えば、前記イカ釣り針体３ａの形状は、傘状の形状のものに限らず、例えば、一般的に市販されている熊手状（フォーク状）のイカ釣り針体３ａを採用した構成としても良く、本実施例の擬餌胴体１及び第一の釣針部３と同様の機能を発揮する構成であればどのような構成であっても良い。
【００３２】
この擬餌胴体１の先端側の第一の釣針部３の先端に連設する第二の釣針部３は、適宜な可撓性を有するワイヤーで構成した連設部材４を介して、前記第一の釣針部３から所定距離離間した位置に設けている。
【００３３】
具体的には、連設部材４の先端側に傘状のイカ釣り針体３ａを有する第二の釣針部３を設け、一方、前記第一の釣針部３が設けられた擬餌胴体１の先端にこの擬餌胴体１の長手方向に沿って差込穴を形成し、この擬餌胴体１の先端の差込穴に連設部材４の基端側を差し込み、接着固定して、第一の釣針部３の先端側に第二の釣針部３を連設した構成である。尚、この連設部材４はテグスなどの糸状部材で構成しても良い。
【００３４】
従って、図３に図示したように、第二の釣針部３は連設部材４を介して前記第一の釣針部３から離間した位置で左右前後に揺動自在に連設される。
【００３５】
本実施例は、上述のように構成したから、擬餌胴体１の基端側に設けた釣り糸連結部２の基端側に釣り糸６を連結してこの擬餌胴体１を海中に投下し、釣り糸６を操作（シャクリ操作）すると、擬餌胴体１に誘われたイカａがこの擬餌胴体１にイカａに近接したり、抱きついたりすることとなる。この際、釣り糸６を勢い良く引くことで擬餌胴体１の先端側に設けた第一の釣針部３の傘状のイカ釣り針体３ａが前記イカａに勢い良く当接して刺さり、よって、この第一の釣針部３にイカａが引っ掛かることとなる。
【００３６】
ここで、例えば、このイカａが暴れたり、イカａ自身の自重などによって、前記イカ釣り針体３ａがイカａから抜けてしまい、折角ヒットさせたイカａが第一の釣針部３から脱落してしまう場合がある。
【００３７】
この際、第一の釣針部３の先端に連設部材４を介して連設した第二の釣針部３が、直ちに上記脱落したイカａに当接し、よって、第一の釣針部３から脱落したイカａはこの第二の釣針部３に引っ掛けられることとなる。
【００３８】
従って、第一の釣針部３にヒットさせたイカａを、船上や陸上に釣り上げる途中でバラシて釣り逃がしてしまうことを前記第二の釣針部３によって阻止することができ、一度ヒットしたイカを逃がさず確実に釣り上げ、釣獲することが可能となる。
【００３９】
また、前記連設部材４を屈曲自在に構成しているので、前記第二の釣針部３が、第一の釣針部３に対して固定状態ではなく、左右前後に揺動自在に連設されることとなり、よって、第一の釣針部３からイカａが脱落した際に、この脱落するイカａを的確に受けて引っ掛け可能な位置に前記第二の釣針部３が自由に揺動移動することも可能で、（例えば、イカａが第一の釣針部３を脱落する際に、このイカａ自身の重みで連設部材４が下方側に屈曲することで第二の釣針部３が前記脱落するイカａを良好に受け止めて刺し引っ掛け可能な位置に揺動移動されることとなるなど、第二の釣針部３が、前記脱落するイカａを受けて引っ掛け易い位置に揺動移動することが想定され、）イカａを釣り上げ途中で脱落させて釣り逃がすことを一層確実に阻止できることとなる上に、第一の釣針部３にイカａをヒットさせた直後にこのイカａが第一の釣針部３から外れ逃げ出した場合にも、この逃げ出したイカａに前記第一の釣針部３とは異なる方向から第二の釣針部３が当接してこのイカａを逃がすことなく引っ掛けることも可能で、よって、釣り損じを阻止しヒット率を向上も図られることとなる（尚、実際に発明者自身が本実施例に係るイカ釣り用ルアーを実験試用した結果、従来のイカ釣り用ルアーに比して、バラシによる釣り逃がし件数が極めて少なくなることが確認され、また、イカａのヒット率の向上効果も顕著に表れることが確認されている。）。
【００４０】
また、前記第一の釣針部３をイカａに引っ掛ける際にはこのイカａに第二の釣針部３が引っ掛からない距離に両釣針部３を離間保持せしめる長さ形状に前記連設部材４を設定している為、この第二の釣針部３による上記秀れた機能を確実に発揮させられることとなる。即ち、第一の釣針部３と第二の釣針部３とが近接し過ぎる位置関係にあった場合には、第二の釣針部３の上記秀れた機能は損なわれ、単に、第一の釣針部３に設けるイカ釣り針体３ａの個数を増やしたに過ぎない作用効果しか発揮されなくなってしまう、即ち、イカａの脱落を阻止する作用効果が殆ど発揮されない上に、無駄に海藻などの不要物が絡まり易くなったり、イカａへのイカ釣針体３ａの刺さりが甘くなるなどの不都合が生じてしまうこととなるが、本実施例においては、そのような不都合が生ずる心配も無く良好にイカａの脱落による釣り逃がしが第二の釣針部３によって阻止されることとなる。
【００４１】
よって、本実施例は、第二の釣針部３が屈曲自在な連設部材４を介して第一の釣針部３の先端側に左右前後に揺動自在に連設されている為に、第一の釣針部３にヒットしたイカａが釣り上げ途中でこの第一の釣針部３から脱落したとしても、そのまま逃がさずに第二の釣針部３で引っ掛け、よって、イカａの脱落による釣り逃がしを確実に阻止でき、また、擬餌胴体１に誘われてきたイカａをヒットした直後に逃がしてしまうことも阻止でき、よって、ヒット率の向上をも図り得るなど、イカ釣り時の釣果向上が確実に図られることとなる。
【００４２】
また、本実施例においては、第二の釣針部３が前記第一の釣針部３から遠すぎず、且つ、近すぎない距離に離間保持されるように前記連設部材４の長さ形状を設定している為に、例えば、第二の釣針部３にたった一体のイカ釣り針体３しか有していなくとも確実にイカａの脱落による釣り逃がしを阻止可能な構成を実現できる。
【００４３】
よって、本実施例は、無駄に海藻などの不要物が絡まり易くなったり、イカ釣り針体３ａの刺さりが甘くなるなどの不都合が生ずる心配もなく、良好にイカ釣り時の釣果向上を図り獲ることとなる。
【００４４】
また、本実施例においては、連設部材４を適宜な可撓性を有するワイヤー部材で構成しているので、第一の釣針部３に対して第二の釣針部３は左右前後に揺動自在に移動できるだけでなく、確実に適宜な距離だけ離間保持され、よって、第一の釣針部３に第二の釣針部３がカチカチと当接して、イカａに警戒心を与えるなどの心配もなく、この点においても実用性に秀れる。
【００４５】
また、この連設部材４は、第一の釣針部３を備えた前記擬餌胴体１の先端に差込穴を形成して、この差込穴に当該連設部材４の基端側を指し込んで接着固定するだけの極めて簡単な構造の為、生産性に秀れコスト安で製造可能であり、従来のイカ釣り用ルアーに比して極端にコスト高となってしまうといった問題も生じ得ず、コスト性に秀れこの点においても実用性に秀れる。
【００４６】
上記の通り本実施例は、単に第一の釣針部３の先端にイカ釣り針体３ａを増設しただけでは決して達成されない極めて良好な、且つ、確実な釣果向上を安価にして達成できる極めて画期的で実用性に秀れたイカ釣り用ルアーとなる。
【実施例２】
【００４７】
本発明の具体的な実施例２について図面に基づいて説明する。
【００４８】
本実施例は、上記実施例１に係るイカ釣り用ルアーの別例であって、具体的には、図５，図６に図示したように、擬餌胴体１の先端側の第一の釣針部３と、前記連設部材４を着脱自在とする着脱機構５を備えたものである。
【００４９】
この着脱機構５は、図６に図示したように、第一の釣針部３の先端側に円環状の連結部８を設け、ワイヤー状の連設部材４の基端側にこの連結部８と連結する連結部９（スナップサルカン）を設け、両連結部８，９を着脱することにより第一の釣針部１の先端側に第二の釣針部３を着脱自在に連設する構成である。
【００５０】
本実施例は上述のように構成したから、実施例１の作用効果に加えて、必要に応じて第二の釣針部３を第一の釣針部３に連設したり、外したりといった選択使用が可能となり、また、この実施例２に係るイカ釣り用ルアーを未使用時には、この第二の釣針部３を第一の釣針部３から脱着してコンパクトに収納したりでき、収納や持ち運びにも秀れることとなるなど、実用性に秀れたイカ釣り用ルアーとなる。
【００５１】
また、例えば、擬餌胴体１の先端側に設けた釣針部３（第一の釣針部３）の先端に、釣り糸６を結着したりする為に予め備えられている環状の連結部８に着脱自在な連結部９（スナップサルカン）を前記連設部材４の基端に設けた構成とすることで、この連設部材４及び第二の釣針部３だけで、市販されている既存のイカ釣り用ルアーの補助具としての商品価値を有することとなるなど、この点においても実用性に秀れる。
【００５２】
その余は実施例１と同様である。
【００５３】
尚、本発明は、実施例１，２に限られるものではなく、各構成要件の具体的構成は適宜設計し得るものである。
【図面の簡単な説明】
【００５４】
【図１】実施例１に係るイカ釣り用ルアーの使用状態図である。
【図２】実施例１に係るイカ釣り用ルアーの正面図である。
【図３】実施例１に係るイカ釣り用ルアーの正面図である。
【図４】実施例１に係るイカ釣り用ルアーの擬餌胴体１の別例を示す図である。
【図５】実施例２に係るイカ釣り用ルアーの正面図である。
【図６】実施例２に係るイカ釣り用ルアーの着脱機構５の説明図である。
【図７】従来例を示す正面図である。
【符号の説明】
【００５５】
１  擬餌胴体
３  釣針部
３ａ  イカ釣り針体
４  連設部材
５  着脱機構
７  連結部
【図１】
2006296239.tif 000003
【図２】
2006296239.tif 000004
【図３】
2006296239.tif 000005
【図４】
2006296239.tif 000006
【図５】
2006296239.tif 000007
【図６】
2006296239.tif 000008
【図７】
2006296239.tif 000009